(57)【特許請求の範囲】
【請求項１】
脚立の天板又は梯子の脚に受け箱をセットするようにした脚立類の収納箱において、
取付け治具（１０）と受け箱（２０）とから構成され、上記取付け治具（１０）には上段部分（１１Ａ）と下段部分（１１Ｂ）とからなる取付けブラケット（１１）が設けられており、
該取付けブラケット（１１）の上段部分（１１Ａ）には受け箱（２０）が搭載されて着脱可能に取付けられる一方、
上記取付けブラケット（１１）の下段部分（１１Ｂ）の裏面には係止プレート（１２）が取付けられ、該係止プレート（１２）は取付け対象の隙間（３３、４４Ａ）に差込み可能の幅（Ｗ）と上記隙間（３３、４４Ａ）の側縁に係止される横長さ（Ｌ）を有し、
上記係止プレート（１２）が上記取付け対象の隙間（３３、４４Ａ）に差込まれ、回転されることによって上記取付けブラケット（１１）が上記取付け対象の隙間（３３、４４Ａ）に係止されるようになっていることを特徴とする脚立類の収納箱。
【請求項２】
上記取付け対象の隙間は脚立天板（３２）の隙間（３３）である請求項１記載の脚立類の収納箱。
【請求項３】
上記取付け治具（１０）は取付けベース（４０）をさらに備え、該取付けベース（４０）は梯子の脚（５０）に嵌め込み得る左右のコ字状ブラケット（４２）の間をロッド（４１Ａ、４１Ｂ）で連結して構成され、上記ロッド（４１Ａ、４１Ｂ）はばね部材によって伸長方向に付勢され、上記ロッド（４１Ａ）にはプレート（４４）が角度調整可能に取付けられ、上記プレート（４４）には隙間（４４Ａ）が形成されている請求項１記載の脚立類の収納箱。
【請求項４】
脚立の天板又は梯子の脚に受け箱をセットするようにした脚立類の収納箱において用いられる取付け治具であって、
上段部分（１１Ａ）と下段部分（１１Ｂ）とからなる取付けブラケット（１１）が設けられており、
該取付けブラケット（１１）の上段部分（１１Ａ）には受け箱（２０）が搭載されて着脱可能に取付け可能である一方、
上記取付けブラケット（１１）の下段部分（１１Ｂ）の裏面には係止プレート（１２）が取付けられ、該係止プレート（１２）は取付け対象の隙間（３３、４４Ａ）に差込み可能の幅（Ｗ）と上記隙間（３３、４４Ａ）の側縁に係止される横長さ（Ｌ）を有し、
上記係止プレート（１２）が上記取付け対象の隙間（３３、４４Ａ）に差込まれ、回転されることによって上記取付けブラケット（１１）が上記取付け対象の隙間（３３、４４Ａ）に係止されるようになっていることを特徴とする脚立類の収納箱の取付け治具。
【請求項５】
取付けベース（４０）をさらに備え、該取付けベース（４０）は梯子の脚（５０）に嵌め込み得る左右のコ字状ブラケット（４２）の間をロッド（４１Ａ、４１Ｂ）で連結して構成され、上記ロッド（４１Ａ、４１Ｂ）はばね部材によって伸長方向に付勢され、上記ロッド（４１Ａ）にはプレート（４４）が角度調整可能に取付けられ、該プレート（４４）には上記係止プレート（１２）が差込まれ得る隙間（４４Ａ）が形成されている請求項４記載の脚立類の収納箱の取付け治具。
【発明の詳細な説明】
【技術分野】
【０００１】
この発明は脚立類の収納箱及びその取付け治具に関し、特に受け箱が作業の邪魔になることがなく、又脚立に簡単にセットできるようにした脚立類の収納箱に関する。
【背景技術】
【０００２】
建築工事、内装工事、電気機械の工事現場などにおける高所作業や果樹園での高所作業には脚立がよく利用される。例えば、天井埋込み型空調機を点検し修理する場合、多数のボルト・ナットや部品を外して脚立を降りて床や地面に置いたり、脚立の天板上に置いたりしているが、脚立を頻繁に昇降するのは負担が大きく、脚立の天板上に置くと、僅かな衝撃や振動によってボルト・ナットや部品が落下して見失うおそれがあった。
【０００３】
これに対し、受け箱側面にベルトを固定し、ベルトを脚立の天板直下の両脚に抱きつかせて取付けるようにした脚立用収納箱（特許文献１）、脚立の一方の脚上部に取付けブラケットをねじによって取付け、取付けブラケットにポールを立設し、ポールに受け箱を固定するようにした脚立用収納箱（特許文献２）、脚立の天板にベースを搭載して着脱可能に挟持し、ベースには受け棚の後端部を固定し、受け棚の先端部を筋交によって脚立の段に支持するようにした脚立用載置棚（特許文献３）、が提案されている。
【０００４】
また、梯子についてはフックで受け箱の前端部をフックで下方の段に引っ掛け、受け箱の後端部に連結したレバーをフックで上方の段に引っ掛けるようにした梯子用の収納箱が知られている（特許文献４）。
【先行技術文献】
【特許文献】
【０００５】
【特許文献１】特開２００９−１１４８３３号公報
【特許文献２】特開２００１−１３２３７０号公報
【特許文献３】特開平１０−１１５１６５号公報
【特許文献４】特開平０７−３１０４８５号公報
【発明の開示】
【発明が解決しようとする課題】
【０００６】
しかし、特許文献１記載の脚立用収納箱では受け箱をベルトで脚立に取付けるようにしているので、取付け位置が脚立の前側に限定され、脚立を立てる状況によっては邪魔になって使用しにくいことがあった。
【０００７】
また、特許文献２記載の脚立用収納箱ではポールが天板の手前にあって作業者の手や腕に当たって作業の邪魔になるおそれがあるばかりでなく、ねじの締付け作業を必要とし、取付け作業が煩雑であった。
【０００８】
さらに、特許文献３記載の脚立用載置棚ではクーラー室内機などの重量物を搭載するものであるので、構造上頑丈であるものの、取付け位置が脚立の前側に限定され、脚立を立てる状況によっては邪魔になって使用しにくいことがあるばかりでなく、ベースの脚立天板への取付けや筋交の脚立への取付けなど、取付け作業が煩雑であった。
【０００９】
本発明はかかる問題点に鑑み、受け箱が作業の邪魔になることがなく、又脚立や梯子に簡単にセットできるようにした脚立類の収納箱を提供することを課題とする。
【課題を解決するための手段】
【００１０】
そこで、本発明に係る脚立類の収納箱は、脚立の天板又は梯子の脚に受け箱をセットするようにした脚立類の収納箱において、受け箱と取付け治具とから構成され、取付け治具には上段部分と下段部分とからなる取付けブラケットが設けられており、該取付けブラケットの上段部分には受け箱が搭載されて着脱可能に取付けられる一方、上記取付けブラケットの下段部分の裏面には係止プレートが取付けられ、該係止プレートは取付け対象の隙間に差込み可能の幅と上記隙間に係止される横長さを有し、上記係止プレートが上記取付け対象の隙間に差込まれ、回転されることによって上記係止プレートが上記取付け対象の隙間に係止されるようになっていることを特徴とする。
【００１１】
本発明の特徴の１つは係止プレートを脚立天板の隙間に差込み、回転させることによって係止プレートを脚立天板の隙間に係止させるようにした点にある。
【００１２】
これにより、従来公報記載の脚立類の収納箱のようにねじの締付けなどを必要とせず、差込みと回転によって受け箱を脚立などに簡単にセットできる。また、天板などの隙間に受け箱を取付けることができるので、作業の邪魔になることはない。
【００１３】
取付けブラケットは脚立天板の隙間を利用して取付けるが、梯子に取付けベースを取付け、取付けベースに脚立天板の隙間に相当する隙間を形成し、この隙間に取付けブラケットの係止プレートを取付けるようにしてもよい。
【００１４】
すなわち、取付け対象の隙間は脚立天板の隙間とすることができ、又梯子に取付けベースを取付け、取付けベースに脚立天板の隙間に相当する隙間とすることができる。ここで、取付けベースはコ字状ブラケットの間にロッドをばね部材によって伸長方向に付勢して設け、ロッドにプレートを角度調整可能に取付け、プレートに隙間を形成することができる。
【００１５】
また、上記の取付け治具も斬新である。本発明に係る脚立類の収納箱の取付け治具は、脚立の天板又は梯子の脚に受け箱をセットするようにした脚立類の収納箱において用いられる取付け治具であって、上段部分と下段部分とからなる取付けブラケットが設けられており、該取付けブラケットの上段部分には受け箱が搭載されて着脱可能に取付け可能である一方、上記取付けブラケットの下段部分の裏面には係止プレートが取付けられ、該係止プレートは取付け対象の隙間に差込み可能の幅と上記隙間の側縁に係止される横長さを有し、上記係止プレートが上記取付け対象の隙間に差込まれ、回転されることによって上記取付けブラケットが上記取付け対象の隙間に係止されるようになっていることを特徴とする。
【００１６】
また、取付け治具は取付けベースをさらに備え、該取付けベースは梯子の脚に嵌め込み得る左右のコ字状ブラケットの間をロッドで連結して構成され、上記ロッドはばね部材によって伸長方向に付勢され、上記ロッドにはプレートが角度調整可能に取付けられ、該プレートには上記係止プレートが差込まれ得る隙間が形成されることができる。
【図面の簡単な説明】
【００１７】
【図１】本発明に係る脚立類の収納箱の好ましい実施形態を脚立に取付けた状態を示す概略斜視図である。
【図２】上記実施形態における取付けブラケットの表面状態を示す概略斜視図である。
【図３】上記実施形態における取付けブラケットの裏面状態を示す概略斜視図である。
【図４】第２の実施形態における取付けブラケットを示す概略斜視図である。
【図５】第３の実施形態を示す概略斜視図である。
【発明を実施するための形態】
【００１８】
以下、本発明を図面に示す具体例に基づいて詳細に説明する。図１ないし図３は本発明に係る脚立類の収納箱の好ましい実施形態を示す。図において、脚立類の収納箱は取付け治具１０と受け箱２０とから構成され、取付け治具１０は取付けブラケット１１を備え、取付けブラケット１１は段部１１Ｃを介して上段部分１１Ａと下段部分１１Ｂとを連続させた形状に形成されている。
【００１９】
取付けブラケット１１の上段部分１１Ａには受け箱２０がねじ２１Ａとナット２１Ｂによって着脱可能に取付けられ、又取付けブラケット１１の下段部分には係止プレート１２がスペーサー１２Ｄを介して２組のボルト１２Ａ・ナット１２Ｂによって取付けられ、ボルト１２Ａの軸部にはコイルばね１２Ｃが縮装されている。なお、２組のうちの一方にフックを用いて取付けブラケット１１に係止プレート１２を取付けるようにしてもよい。また、係止プレート１２にスペーサー１２Ｄを点溶接などによって固定し、係止プレート１２の強度アップを図るようにしてもよい。
【００２０】
係止プレート１２は幅Ｗが脚立３０の天板３２の隙間３３に差込み得る寸法に設定されるとともに、横長さＬが天板３２の隙間３３の両縁に係止されうる長さに設定され、又係止プレート１２の両端部は取付けブラケット１１の下段部１１Ｂと係止プレート１２の間に天板３２が嵌まり込みやすいように少し湾曲されている。
【００２１】
本例の収納箱を脚立３０にセットする場合、図１に示されるように、脚立３０の脚３１を開き、レバーで脚３１の角度をロックした後、取付けブラケット１１の係止プレート１２を脚立３０の天板３２の隙間３３に差込み、取付けブラケット１１をほぼ９０°回転させると、脚立３０の天板３２が取付けブラケット１１の下段部１１Ｂと係止プレート１２の間に嵌まり込んで係止され、これによって取付けブラケット１１が天板３２に取付けられる。
【００２２】
このとき、取付けブラケット１１を天板３２の隙間３３に沿ってスライドさせると、受け箱２０を任意の位置、例えば天板３２から側方に突出させた位置、あるいは天板３２の上にセットすることができる。
【００２３】
この状態では、作業中に外したボルトやナット、部品を受け箱２０に入れておくことによって見失うことがなく、又ボルト・ナットや部品を置くために脚立３０を昇り降りする必要がなく、作業者の落下のおそれをすくなくでき、安全性を大幅に向上することができるばかりでなく、脚立３０の昇り降りに要する時間を短縮できる。
【００２４】
また、受け箱２０の取付けブラケット１１に着脱可能としているので、大きな受け箱から小さな受け箱まで用途に応じて自由に選択でき、例えば果樹園での収穫作業時に収穫した果物を受け箱に入れておくことによって作業の安全性を確保できる。
【００２５】
収納箱を取り外す場合、取付けブラケット１１を逆方向に回転させ、係止プレート１２を天板３１の隙間３３から抜けばよい。
【００２６】
図４は第２の実施形態を示し、本例では安全ストッパー１１Ｄを取付けブラケット１１の上段部分１１Ａの裏面に固定し、安全ストッパー１１Ｄを脚立３０の天板３２の外端部に当接させて取付けブラケット１１が不用意にスライドするのを防止するようになっている。
【００２７】
図５は第３の実施形態を示し、これは梯子用の収納箱に適用した例である。図において図１ないし図４と同一符号は同一又は相当部分を示す。本例では取付け治具１０は取付けベース４０をさらに備え、取付けベース４０は左右のコ字状ブラケット４２の間をロッド４１Ａ、４１Ｂで連結しロッド４１Ａ、４１Ｂをばね部材（図示せず）によって相互に伸長する方向に付勢して構成されている。
【００２８】
ロッド４１Ａにはプレート４４が角度調節可能に取付けられ、蝶ねじ４３によって角度を固定できるようになっている。このプレート４４には脚立３０の天板３２の隙間３３に相当する隙間４４Ａが形成され、この隙間４４Ａには収納箱の係止プレート１２が差し込まれて係止できるようになっている。
【００２９】
本例の収納箱を梯子にセットする場合、梯子の脚５０にコ字状のブラケット４２を嵌めてロッド４１Ａ、４１Ｂを伸長させ、これによって取付けベース４０を梯子に取付ける。次に、取付けベース４０のプレート４４の角度を調整して蝶ねじ４３によって固定し、プレート４４の隙間４４Ａに取付けブラケット１１の係止プレート１２を差込み、回転させると、取付けブラケット１１を取付けベース４０に取付けることができるので、取付けブラケット１１をスライドさせて所望の位置にセットすればよい。
【符号の説明】
【００３０】
１０      取付け治具
１１      取付けブラケット
１１Ａ      上段部分
１１Ｂ      下段部分
１２      係止プレート
２０      受け箱
３０      脚立
３２      天板
３３      隙間
４０      取付けベース
４１Ａ、４１Ｂ      ロッド
４２      コ字状ブラケット
【図１】
0006400487.tif 000002
【図２】
0006400487.tif 000003
【図３】
0006400487.tif 000004
【図４】
0006400487.tif 000005
【図５】
0006400487.tif 000006